【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
画像形成装置本体に着脱可能なプロセスカートリッジにおいて、
電子写真感光体ドラムと、
前記電子写真感光体ドラムに形成された静電潜像を現像剤を用いて現像する現像スリーブと、
前記電子写真感光体ドラムを回転自在に支持するフレームと、
前記電子写真感光体ドラムの軸心と平行な中心でもって前記フレームに揺動可能に枢着され、この揺動の中心から離れて前記電子写真感光体ドラムの軸心と平行に前記現像スリーブを回転自在に支持する支持部材と、
前記現像スリーブを電子写真感光体ドラムに向って付勢するための付勢部材と、
前記現像スリーブの電子写真感光体ドラムに対する位置決め手段と、
前記現像スリーブに接近して前記フレームに固設され現像のために前記電子写真感光体ドラムへ送り出す現像剤を規制する現像ブレードと、
を有することを特徴とするプロセスカートリッジ。
【請求項２】
前記現像スリーブの中心と前記支持部材の揺動中心を結ぶ線上近傍に現像ブレードの現像スリーブとの対向部分が配置されていることを特徴とする請求項１に記載のプロセスカートリッジ。
【請求項３】
プロセスカートリッジを画像形成装置本体に装着した状態において、前記現像スリーブの中心と前記支持部材の揺動中心を結ぶ線はほぼ垂直線であって、ほぼこの垂直線に沿って現像ブレードが配設されていることを特徴とする請求項２に記載のプロセスカートリッジ。
【請求項４】
前記電子写真感光体ドラムの軸心と現像スリーブの中心を結ぶ線に対して直角でほぼ現像領域の対向部における電子写真感光体ドラム又は現像スリーブの接線上に前記支持部材の揺動中心を有することを特徴とする請求項１から３の何れか１つに記載のプロセスカートリッジ。
【請求項５】
前記支持部材の揺動中心と電子写真感光体ドラムの軸心を結ぶ線と、前記支持部材の揺動中心と現像スリーブの中心を結ぶ線とはほぼ直角であることを特徴とする請求項４に記載のプロセスカートリッジ。
【請求項６】
前記支持部材の揺動中心と現像スリーブの中心を結ぶ線に対してほぼ直角に前記付勢部材の付勢力が加わることを特徴とする請求項１から５の何れか１つに記載のプロセスカートリッジ。
【請求項７】
前記付勢部材は支持部材とフレームとの間に縮設された圧縮コイルばねであって、電子写真感光体ドラムより見て現像スリーブの背部側に設けられていることを特徴とする請求項６に記載のプロセスカートリッジ。
【手続補正２】
【補正対象書類名】明細書
【補正対象項目名】０１２７
【補正方法】変更
【補正の内容】
【０１２７】
第２は第１において、前記支持部材である揺動アーム３２及び付勢部材である圧縮コイルばね３５は現像スリーブ１０ｄの長手方向において現像領域外に設けられている。これによって、揺動アーム３２を現像フレーム１２のすぐ近くで支持でき支持が強固である。
【手続補正３】
【補正対象書類名】明細書
【補正対象項目名】０１２８
【補正方法】変更
【補正の内容】
【０１２８】
第３は第２において、支持部材である揺動アーム３２及び付勢部材である圧縮コイルばね３５は現像スリーブ１０ｄの長手方向の両側に夫々設けられている。これによって、揺動アーム３２を現像フレーム１２のすぐ近くで支持でき支持が強固である。
【手続補正４】
【補正対象書類名】明細書
【補正対象項目名】０１３７
【補正方法】変更
【補正の内容】
【０１３７】
第１２は第１１において、支持部材である揺動アーム３２の揺動を制限する位置において、揺動アーム３２と接触して圧縮コイルばね３５の付勢力による移動を阻止する固設部材である例えば現像スリーブカバー３６を有する。これにより、きわめて簡単で且つ現像スリーブ１０ｄの移動範囲を正確に保てる。
【手続補正５】
【補正対象書類名】明細書
【補正対象項目名】０１３８
【補正方法】変更
【補正の内容】
【０１３８】
第１３は第１から第１２の何れか１つにおいて、現像スリーブ１０ｄの両端部に現像スリーブ１０ｄよりも現像隙間だけ半径の大きなスペーサコロ１０ｊを回転自在に有し、該スペーサコロ１０ｊを画像領域外において電子写真感光体ドラム７に圧接した。これにより、現像スリーブ１２ｄと感光体ドラム７の対向部分で夫々の周面が互に反対方向に移動するにかかわらずスペーサコロ１０ｊを感光体ドラム７に転動させることができる。
【手続補正６】
【補正対象書類名】明細書
【補正対象項目名】０１４１
【補正方法】削除
【補正の内容】
【手続補正７】
【補正対象書類名】明細書
【補正対象項目名】０１４２
【補正方法】削除
【補正の内容】
【手続補正８】
【補正対象書類名】明細書
【補正対象項目名】０１４３
【補正方法】変更
【補正の内容】
【０１４３】
本出願に係る第２の発明によれば、第１の発明において、前記現像スリーブの中心と前記支持部材の揺動中心を結ぶ線上近傍に現像ブレードの現像スリーブとの対向部分が配置されていることにより、部品製作誤差に基ずく組立誤差があっても現像スリーブと現像ブレード間の隙間は殆んど変化しない。


【手続補正９】
【補正対象書類名】明細書
【補正対象項目名】０１４４
【補正方法】変更
【補正の内容】
【０１４４】
本出願に係る第３の発明によれば、第２の発明において、プロセスカートリッジを画像形成装置本体に装着した状態において、前記現像スリーブの中心と前記支持部材の揺動中心を結ぶ線はほぼ垂直線であって、ほぼこの垂直線に沿って現像ブレードが配設されていることにより、現像剤を現像スリーブの下部の片側の四分円部分から汲み上げられるので現像剤の供給を円滑にできる。


【手続補正１０】
【補正対象書類名】明細書
【補正対象項目名】０１４５
【補正方法】変更
【補正の内容】
【０１４５】
本出願に係る第４の発明は第１から第３の何れか１つの発明において、前記電子写真感光体ドラムの軸心と現像スリーブの中心を結ぶ線に対して直角でほぼ現像領域の対向部における電子写真感光体ドラム又は現像スリーブの接線上に前記支持部材の揺動中心を有することにより、現像スリーブの電子写真感光体ドラムに対する付勢方向が現像スリーブと電子写真感光体ドラムの中心を結ぶ線とほぼ一致する。


【手続補正１１】
【補正対象書類名】明細書
【補正対象項目名】０１４６
【補正方法】変更
【補正の内容】
【０１４６】
本出願に係る第５の発明によれば、第４の発明において、前記支持部材の揺動中心と電子写真感光体ドラムの軸心を結ぶ線と、前記支持部材の揺動中心と現像スリーブの中心を結ぶ線とはほぼ直角であることにより、支持部材の揺動中心を現像領域の近くに近ずけることができ、現像スリーブを支持するために必要な部材をせまい範囲にまとめることができ、プロセスカートリッジを小さくできる。


【手続補正１２】
【補正対象書類名】明細書
【補正対象項目名】０１４７
【補正方法】変更
【補正の内容】
【０１４７】
本出願に係る第６の発明は第１から第５の何れか１つの発明において、前記支持部材の揺動中心と現像スリーブの中心を結ぶ線に対してほぼ直角方向に前記付勢部材の付勢力が加れることにより、特段の部材を使用することなく、付勢部材に対する反力が付勢部材の付勢方向に対向して一致する。


【手続補正１３】
【補正対象書類名】明細書
【補正対象項目名】０１４８
【補正方法】変更
【補正の内容】
【０１４８】
本出願に係る第７の発明によれば、第６の発明において、前記付勢部材は支持部材とフレームとの間に縮設された圧縮コイルばねであって、電子写真感光体ドラムより見て現像スリーブの背部側に設けられていることにより、圧縮コイルばねをフレーム側に保持しておいて現像スリーブを組み込んだ揺動アームを取り付け、次に電子写真感光体ドラムを組付ければよいので組立性にすぐれる。


【手続補正１４】
【補正対象書類名】明細書
【補正対象項目名】０１４９
【補正方法】削除
【補正の内容】
【手続補正１５】
【補正対象書類名】明細書
【補正対象項目名】０１５０
【補正方法】削除
【補正の内容】
【手続補正１６】
【補正対象書類名】明細書
【補正対象項目名】０１５１
【補正方法】削除
【補正の内容】
【手続補正１７】
【補正対象書類名】明細書
【補正対象項目名】０１５２
【補正方法】削除
【補正の内容】